(57)【要約】【課題】  電極間の抵抗値を測定することによって、土壌中の水分を監視する従来の装置では、一定日数以上経過すると警報が鳴らなくなる。即ち、土壌は相当乾燥しているにもかかわらず、抵抗値が大きくならないのである。そして、それから相当期間（数週間）放置すると、また警報がなる。しかし、これではその間に植物は枯れてしまう。【解決手段】  土壌水分センサーによって土壌水分が一定以下になったことを検知し、それによって所定動作を行なうものであって、該土壌水分センサーが２つの電極間の抵抗値を測定するタイプのものにおいて、該水分センサーの土壌抵抗値測定センサー部分を定期的に振動させるもの。【選択図】  図１
2006034169.tif 000002
【特許請求の範囲】
【請求項１】
土壌水分センサーによって土壌水分が一定以下になったことを検知し、それによって所定動作を行なうものであって、該土壌水分センサーが２つの電極間の抵抗値を測定するタイプのものにおいて、該水分センサーの土壌抵抗値測定センサー部分を定期的に振動させることを特徴とする土壌水分監視装置。
【請求項２】
該所定動作は、警報の発令である請求項１記載の土壌水分監視装置。
【請求項３】
該所定動作は、潅水である請求項１記載の土壌水分監視装置。
【請求項４】
該所定動作は、タイマーのスタートである請求項１記載の土壌水分監視装置。
【発明の詳細な説明】
【技術分野】
【０００１】
本発明は、土壌水分監視装置に関するものである。
【背景技術】
【０００２】
土壌水分監視装置とは、土壌の水分状態を測定し、その状態によって何らかのアクションを起こす装置である。
近時、ビルの屋上やベランダの緑化が叫ばれてきている。これは、屋上等を緑化することによって、屋上の断熱性向上による冷房費等の削減と、植物を植えることによる二酸化炭素の吸収、更には土壌が保持する水分の蒸発潜熱等による温度変化の軽減等である。
政府もこれを促進するため、種々の便宜を図っている。例えば、建蔽率の見なおし、補助金の供与、減税等である。
【０００３】
このようなビルの屋上の緑化で問題になるのは潅水の問題である。定期的に水を撒くという作業が必要であるが、雨や湿度の問題から定期的に潅水すればいいというものではない。
【０００４】
しかしながら、人件費の問題からそのようなことに人一人を従事させるわけにはいかない。そこで自動化することが考えられる。例えば、土壌の水分の量を測定して、一定以下になれば潅水するのが常識的である。
土壌の水分量を測定する方法は、土壌の電気抵抗値を測定するのが簡単である。これは、２本の電極を土壌中に一定距離をおいて埋めるのである。その電極間の抵抗値は簡単に測定できる。土壌が十分に水分を有している時には、ほとんど抵抗がない。
【０００５】
徐々に土壌が乾燥していくと当然であるが抵抗値が大きくなる。そして、一定値以上になれば警報を出すか、自動撒水すればよい。
【０００６】
発明者もこの実験を繰り返し行なった。しかし、うまく機能しないのである。数週間は正常に作動し、乾燥すれば警報が出ているが、一定日数以上経過すると警報が鳴らなくなるのである。そこで種々測定すると、土壌は相当乾燥しているにもかかわらず、抵抗値が大きくならないのである。
【０００７】
そして、それから相当期間（数週間）放置すると、また警報がなる。しかし、これではその間に植物は枯れてしまう。
【発明の開示】
【発明が解決しようとする課題】
【０００８】
そこで、このような誤動作のない土壌水分監視装置で、従来の装置も簡単に改良できるものを提供する。
【課題を解決するための手段】
【０００９】
以上のような状況に鑑み、本発明者は鋭意研究の結果本発明土壌水分監視装置を完成したものであり、その特徴とするところは、土壌水分センサーによって土壌水分が一定以下になったことを検知し、それによって所定動作を行なうものであって、該土壌水分センサーが２つの電極間の抵抗値を測定するタイプのものにおいて、該水分センサーの土壌抵抗値測定センサー部分を定期的に振動させる点にある。
【００１０】
土壌水分センサーは、２本の電極間の抵抗値を測定するタイプのものであればどのようなものでもよい。即ち、抵抗値が一定以上になれば、土壌が乾燥した、水分が不足と考える方式である。
【００１１】
この所定値は、栽培する植物や土壌によって栽培者が適当に決めるものであり、その状態の時の使用する測定装置の値で決定すればよい。例えば、Ａという植物で、Ｂという土壌ならば、Ｃの水分量（例えば、ｐＦ値１．８）になれば潅水すると決める。そして、使用する測定装置がそのＣの状態のときのＤという値を示すならば、そのＤが所定値となる。
【００１２】
この所定値になった時の動作（所定動作）は特に限定するものではない。例えば、警報を発するか、自動で潅水するか、種々の機能のタイマーをスタートさせる等である。警報は音や光等で乾燥を知らせるものでどのようなものでもよい。潅水は上水道を使用するなら単にバルブを開けるだけであり、地下水等であればポンプのスタート等も含まれる。
【００１３】
上記までは従来の装置である。これでは一定期間経過すると抵抗値が所定以上にならなくなり、前記したように植物が枯れるのである。この理由は定かではないが、発明者の実験では、２本の電極間に擬似の電気経路が形成されているのではないかと考えられる。即ち、水や導線ほどの電気伝導性はないにしても、乾燥によって何かが凝縮したりしてある程度電気を通すような経路ができているとしか考えられないのである。
【００１４】
そして種々実験の結果、この擬似経路を切れば、再び抵抗値が正しい値を示すことが分かった。そして、電極を振動させることに思い至ったのである。
振動はどのような方法で与えてもよく、単なるモーターや、モーターと偏心カムのようなものでもよい。
【００１５】
この振動させる部分は、電極だけでも、センサー全体でもよい。要するに、前期した擬似経路を切ればよいのであり、その付近のわずかな振動で十分である。よって、振動装置の大きさも小さいものでよい。
【００１６】
振動装置は常時稼動するのでははく定期的でよい。例えば、１週間ごと、２週間ごと等である。これもその土壌や、季節、場所によって異なるため、試行錯誤で決めるのがよい。これは、長時間タイマーでセットしておくのがよい。よって、一定期間ごとに自動的に振動しているようにする。
【発明の効果】
【００１７】
本発明土壌水分監視装置には次のような効果がある。
（１）  定期的に振動させるだけで、警報の異常がなくなった。
（２）  装置は非常に簡単で振動装置等を付けるだけである。
（３）  わずかな振動だけであり他に影響はほとんどない。
（４）  安価である。
【発明を実施するための最良の形態】
【００１８】
以下図面に示す実施例に基づいて、本発明をより詳細に説明する。
【実施例１】
【００１９】
図１は、本発明土壌水分監視装置の使用例を示す概略断面図である。制御部１と電極２が連結されている。電極２の上部には、振動装置３が設けられている。またバルブ４が制御部１と連絡されている。この例の制御部１には、コンピューターが内蔵され種々の制御を行なっている。
【００２０】
動きを説明する。まず、常時又は定期的に電極間の抵抗値を測定する。この抵抗値が一定以下ならば水分が足りているため何もしない。そして、抵抗値が一定以上になった時、バルブ４を開にして潅水する。潅水時間等もコンピューターに記憶されている。
【００２１】
そして、この動作とは、別個独立してコンピューターから一定期間ごとに、振動装置３に対して信号を出し作動する。この例では、１週間に１回である。これによって、擬似短絡経路が形成されず（されたとしても定期的に破壊され）適切な抵抗値を測定できる。
【図面の簡単な説明】
【００２２】
【図１】本発明土壌水分監視装置の使用例を示す概略断面図である。
【符号の説明】
【００２３】
１  制御部
２  電極
３  振動装置
４  バルブ
【図１】
2006034169.tif 000003